(57)【要約】【課題】空調システムの送風ファンのモーターへの負荷を重くすることなく、室内に供給する空気中に存在する細菌を死滅させることができる殺菌装置の提供を課題とする。【解決手段】空調システムのダクトを構成する空気流通管と同様な管状の形態を有する殺菌装置本体３１の内壁面には、光触媒半導体金属である酸化チタン３２が塗布されている。この殺菌装置本体１はダクトの途中に配設されるものである。殺菌装置本体３１の内部には、内壁面に紫外線を照射する蛍光灯３３が配設されている。４２は変流羽根であり、この変流羽根４２は、殺菌装置本体３１内の空気の流れを乱して殺菌効率を向上させるものである。【選択図】  図５
2005257198.tif 000002
【特許請求の範囲】
【請求項１】
空調システムのダクトを構成する空気流通管の間に介設される空調システム用殺菌装置
であって、
両端部のそれぞれが、前記空気流通管に接続可能な管状の殺菌装置本体と、
該殺菌装置本体の内壁面に塗布された酸化チタンと、
前記殺菌装置本体の内部に配設され、前記殺菌装置本体の前記内壁面に紫外線を照射す
る紫外線発生手段とを具備することを特徴とする空調システム用殺菌装置。
【請求項２】
前記殺菌装置本体の内部には、当該殺菌装置本体の内部を通過する空気が前記内壁面に
当たるように当該空気の流れの方向を変化させる変流手段が設けられていることを特徴と
する請求項１に記載の空調システム用殺菌装置。
【請求項３】
請求項１または請求項２に記載の空調システム用殺菌装置が配設されていることを特徴
とする空調システム。
【発明の詳細な説明】
【技術分野】
【０００１】
本発明は、空調システムに配設する空調システム用殺菌装置に関するものである。
【背景技術】
【０００２】
従来のビル等に用いられている空調システムにおいては、通常、図６に示したような室
内の換気口ＡにはフィルターＦが装着されている。
【０００３】
このようなフィルターＦは、空調に用いられる空気中に存在する塵埃等を除去すること
をその主な機能としている。
【発明の開示】
【発明が解決しようとする課題】
【０００４】
現在、感染症等への関心の高まりから、空気中に存在する細菌を除去することに対する
要望が高まっている。
【０００５】
従来の空調システムにおいて、このような要望に応えるためにはフィルターＦの目を細
かくするという方法が考えられるが、この方法には以下のよう問題点がある。
【０００６】
第１に、フィルターＦの目を細かくしても完全に細菌を除去することはできない。第２
に、フィルターＦの目を細かくすればするほど、このフィルターＦにおける空気抵抗が大
きくなり、送風ファンのモーターの負荷が大きくなってしまう。
【課題を解決するための手段】
【０００７】
以上の問題を解決するために、本発明は、空調システムのダクトを構成する空気流通管
の間に介設される空調システム用殺菌装置であって、両端部のそれぞれが、前記空気流通
管に接続可能な管状の殺菌装置本体と、該殺菌装置本体の内壁面に塗布された酸化チタン
と、前記殺菌装置本体の内部に配設され、前記殺菌装置本体の前記内壁面に紫外線を照射
する紫外線発生手段とを具備することを特徴とするものである。ここで、前記殺菌装置本
体の内部には、当該殺菌装置本体の内部を通過する空気が前記内壁面に当たるように当該
空気の流れの方向を変化させる変流手段が設けられていてもよい。
【発明の効果】
【０００８】
本発明によれば、空調システムの送風ファンのモーターへの負荷を重くすることなく、
室内に供給する空気中に存在する細菌を死滅させることができる。
【発明を実施するための最良の形態】
【０００９】
以下、図面を用いて本発明の実施例を説明する。
【実施例１】
【００１０】
図１は、本発明の実施例１が配設されている空調システムの構成を示した構成図である
。
【００１１】
この空調システムは、居室１，２と陰圧居室３の室内の空気の換気を行う空調システム
である。ここで、陰圧居室３とは、室内の空気が室外に流出しないように、配設されてい
る補助排気ファン３ｃによって室内の気圧が１気圧以下に制御されている病院の隔離室の
ような室である。
【００１２】
外部の空気は、給気ファン４によって各室の給気口１ａ，２ａ，３ａを介して各室の室
内に供給される。また、室内の空気は、排気口１ｂ，２ｂや補助排気ファン３ｃを介して
、排気ファン５によって外部に排出される。６は、陰圧居室３の室内の温度を制御する空
調機である。
【００１３】
７はメインの給気ダクト、８は各室に空気を供給するダクトであり、９はメインの排気
ダクト、１０は各室の空気をメインの排気ダクト９に導くためのダクトである。
【００１４】
本発明の実施例１に係る殺菌装置２０は、メインの給気ダクト７とメインの排気ダクト
９に配設されている。
【００１５】
図２は、殺菌装置２０の構成を示したものである。殺菌装置２０は、ダクトを構成する
空気流通管１１と空気流通管１２との間に介設されている。この殺菌装置２０は、殺菌装
置２０の本体となる殺菌機能を有する殺菌ユニット３０と、殺菌効率を向上させる変流ユ
ニット４０と、空気中の塵埃等を吸着する吸着ユニット５０によって構成されている。
【００１６】
図３（ａ），（ｂ），（ｃ）は、変流ユニット４０，殺菌ユニット３０，吸着ユニット
５０のそれぞれの横断面の構成を示した断面図である。
【００１７】
先ず、殺菌ユニット３０の構成について説明する。
【００１８】
殺菌ユニット３０は、殺菌装置本体３１と、殺菌装置本体３１の内壁面に塗布された酸
化チタン３２と、酸化チタン３２に紫外線を照射する蛍光灯３３とによって構成されてい
る。
【００１９】
殺菌装置本体３１は、ダクトを構成する空気流通管１１，１２と同様の管状の形態に構
成されており、変流ユニット４０を介して風上側の空気流通管１１に接続され、吸着ユニ
ット５０を介して風下側の空気流通管１２に接続されている。ここで、本実施例１におい
ては、殺菌装置本体３１の断面の形状は、図３（ｂ）に示したように四角形となっている
が、この形状は四角形に限られるものではなく、円形や楕円形等どのような形状であって
もよい。
【００２０】
殺菌装置本体３１の内壁面に塗布されている酸化チタン３２は、光触媒半導体金属とし
て従来から知られている物質であり、紫外線を当てると、化学物質や細菌等の有害物質を
不活性化させる物質を生成するものである。本実施例１では、酸化チタン３２に紫外線を
照射する手段として蛍光灯３３を用いているが、この紫外線発生手段は蛍光灯に限られる
ものではなく、紫外線を発生させるものであればＬＥＤ等どのようなものであってもよい
。
【００２１】
変流ユニット４０は、殺菌ユニット３０の風上側に配設されるものであり、図３（ａ）
に示したように、管状の形態の本体４１と変流羽根４２とによって構成されている。
【００２２】
変流羽根４２は、風下側に配設されている殺菌装置本体３１の内壁面に当たる空気の量
を多くするために、殺菌装置本体３１内の空気の流れの方向を乱す機能を有している。
【００２３】
従って、この変流羽根４２の形状はどのような形状であってもよく、例えば図４に示す
ような形状であってもよい。さらに、このような変流羽根４２を設けずに、変流ユニット
４０の本体４１内に、無動力のプロペラや不燃性吹き流し等を配設してもよい。
【００２４】
このような変流ユニット４０を配設することにより、殺菌装置の殺菌効率を高めること
ができる。
【００２５】
吸着ユニット５０は、殺菌ユニット３０で殺菌処理された物質等の空気中の塵埃を吸着
する電気集塵機によって構成されている。図３（ｃ）において５１は管状の本体であり、
５２は集塵板である。
【００２６】
以上のように構成された本実施例１においては、図２に示したように、空気流通管１１
から流入する空気を、殺菌ユニット３０の内壁面に当たるように変流ユニット４０でその
流れの方向を変化させ、殺菌ユニット３０で殺菌処理を行った後、空気中の塵埃を吸着ユ
ニット５０で除去して空気流通管１２に送る。従って、図１に示したようにメインの給気
ダクト７に本実施例１に係る殺菌装置２０を配設しておけば、各室１，２，３には殺菌さ
れた空気を供給することができる。
【００２７】
以上説明した実施例１は、図１に示したようにメインのダクト７，９の途中に配設する
構成となっているために、既存の空調システムに配設することが可能である。
【００２８】
さらに、メインの排気ダクト９に図１に示したように本実施例１を配設する構成とした
場合には、補助排気ファン３ｃによって強制的に排出される陰圧居室３の空気が、排気口
１ｂ，２ｂを介して他の居室１，２に流入してしまうようなことが生じたときでも、その
空気内の細菌は本実施例１に係る殺菌装置２０によって除去されるので、陰圧居室３内に
存在する細菌が他の居室１，２や外部に流出するようなことはない。
【００２９】
なお、図１に示した空調システムは、外気を用いて居室１，２，３の換気を行う空調シ
ステムであるが、本実施例を配設する空調システムはこのような空調システムに限られる
ものではなく、例えば温度制御装置を具えた循環型の空調システム等のどのような空調シ
ステムであってもよい。
【００３０】
空調システムに本実施例１に係る殺菌装置２０を配設する場合、図１に示したように殺
菌装置２０をダクトの異なる位置に複数個配設する構成とすれば、ダクト内の淀んだ空気
も浄化することができる。
【実施例２】
【００３１】
図５は、本発明の実施例２の構成を示した斜視図である。図５において、３１は殺菌装
置本体、３２は殺菌装置本体３１の内壁面に塗布された酸化チタン、３３は紫外線を発生
させる紫外線発生手段である蛍光灯、４２は変流羽根である。
【００３２】
先に説明した実施例１においては、変流羽根４２が配設された変流ユニット４０を殺菌
ユニット３０の風上側に配置することにより殺菌効率を向上させる構成となっているが、
本実施例２においては、変流羽根４２を殺菌装置本体３１の内部に配設することにより殺
菌効率の向上を図る構成となっている。その他の各部の機能は実施例１の各部の機能と同
様であるのでその説明は省略する。
【図面の簡単な説明】
【００３３】
【図１】本発明の実施例１に係る空調システム構成図である。
【図２】本発明の実施例１の構成図である。
【図３】本発明の実施例１の各部の断面図である。
【図４】本発明の実施例１に係る変流ユニットの説明図である。
【図５】本発明の実施例２の構成図である。
【図６】従来の空調システムの説明図である。
【符号の説明】
【００３４】
１，２  居室
３  陰圧居室
４  給気ファン
５  排気ファン
６  空調機
７  給気ダクト
８，１０  ダクト
９  排気ダクト
１１，１２  空気流通管
２０  殺菌装置
３０  殺菌ユニット
３１  殺菌装置本体
３２  酸化チタン
３３  蛍光灯
４０  変流ユニット
４１，５１  本体
４２  変流羽根
５２  集塵板
Ａ  換気口
Ｆ  フィルター
【図１】
2005257198.tif 000003
【図２】
2005257198.tif 000004
【図３】
2005257198.tif 000005
【図４】
2005257198.tif 000006
【図５】
2005257198.tif 000007
【図６】
2005257198.tif 000008